(57)【要約】【課題】ランドプリピット（ＬＰＰ）にアドレスが書きこまれた光ディスクを再生可能な光ディスク装置において、シーク時にレンズのディスク外周へのオフセットが発生すると、ＬＰＰ信号がＰＰ信号に埋もれてしまうため、外周に形成されたＬＰＰの読み取りが低下し、オフセットが解消するまでアドレスが取得できず、次のシーク処理に移ることができないという課題があった。【解決手段】シーク処理において、トラバース移動中にレンズをレンズハウジングの中心に固定する中点サーボ手段と、トラック着地時にトラッキング駆動信号にレンズをレンズハウジング内のディスク内周側にシフトさせるように所定量のオフセットを加えるトラッキング駆動信号オフセット印加手段とを備え、着地したときにレンズがレンズハウジング内のディスク外周へシフトするのを未然に防ぎ、アドレス取得を安定に行うことのできる構成とした。【選択図】      図１
2004342257.tif 000002
【特許請求の範囲】
【請求項１】
光ディスクの回転速度を制御するための回転速度制御情報に対応した周波数でウォブリングされ、記録すべき情報を記録する情報トラックと、前記情報トラックの外周方向に隣接し、前記情報トラックのアドレス情報がプリピットの形で形成されているランドトラックとが螺旋状に形成されている、前記光ディスクを再生可能な光ディスク装置において、
レンズハウジング内に格納されているレンズから出射した光ビームの、前記光ディスク上の情報トラック及び前記情報トラックに隣接したランドトラックからの反射光に基づいて、プッシュプル（以下、ＰＰと称す）信号を生成するＰＰ信号生成手段と、
前記生成されたＰＰ信号から、前記回転速度制御情報を表すウォブリング信号のみを検出するウォブリング信号検出手段と、
前記生成されたＰＰ信号から、前記ウォブリング信号に重畳された前記ランドトラック上のプリピットを表すランドプリピット（以下、ＬＰＰと称す）信号を検出するＬＰＰ信号検出手段と、
前記検出されたＬＰＰ信号をもとに、前記情報トラックのアドレス情報を取得するＬＰＰアドレス検出手段と、
前記レンズを前記レンズハウジング内の中心に固定する中点サーボ手段と、
前記レンズをトラッキング方向に駆動させるためのトラッキング駆動信号を生成するトラッキング駆動信号生成手段と、
前記生成されたトラッキング駆動信号にオフセットを加えるトラッキング駆動信号オフセット印加手段と、を備え、
前記中点サーボ手段は、トラバースの移動を伴うシーク処理における、トラバースの移動中は、前記レンズを前記レンズハウジング内の中心に固定し、
前記トラッキング駆動信号オフセット印加手段は、上記シーク処理におけるトラック着地時には、前記レンズを前記レンズハウジング内で光ディスク内周方向へシフトするように前記トラッキング駆動信号に所定の量のオフセットを加える、
ことを特徴とした光ディスク装置。
【請求項２】
請求項１に記載の光ディスク装置において、
前記所定の量のオフセットは、前記光ディスクのトラックピッチの半分以下の値とする、
ことを特徴とした光ディスク装置。
【請求項３】
請求項１に記載の光ディスク装置において、
前記トラッキング駆動信号オフセット印加手段は、アドレスの取得が完了した後は、印加されたオフセットをゼロに戻す、
ことを特徴とした光ディスク装置。
【請求項４】
光ディスクの回転速度を制御するための回転速度制御情報に対応した周波数でウォブリングされ、記録すべき情報を記録する情報トラックと、前記情報トラックの外周方向に隣接し、前記情報トラックのアドレス情報がプリピットの形で形成されているランドトラックとが螺旋状に形成されている、前記光ディスクを再生可能な光ディスク装置において、
レンズハウジング内に格納されているレンズから出射した光ビームの、前記光ディスク上の情報トラック及び前記情報トラックに隣接したランドトラックからの反射光に基づいて、ＰＰ信号を生成するＰＰ信号生成手段と、
前記生成されたＰＰ信号から、前記回転速度制御情報を表すウォブリング信号のみを検出するウォブリング信号検出手段と、
前記生成されたＰＰ信号から、前記ウォブリング信号に重畳されたＬＰＰ信号を検出するＬＰＰ信号検出手段と、
前記検出されたＬＰＰ信号をもとに、前記情報トラックのアドレス情報を取得するＬＰＰアドレス検出手段と、
トラバースの移動速度を検出するトラバース移動速度検出手段と、
前記レンズを前記レンズハウジング内の所定のレンズ固定位置に固定するレンズ位置固定手段と、
前記レンズ固定位置を格納する固定位置格納手段と、を備え、
前記レンズ位置固定手段は、トラバースの移動を伴うシーク処理における、トラバースの移動中は、前記レンズを前記レンズハウジング内の光ディスク内周寄りの所定のレンズ固定位置に固定し、上記シーク処理におけるトラック着地直前は、前記レンズの位置固定を解除して、該レンズを慣性力でトラック着地せしめる、
ことを特徴とした光ディスク装置。
【請求項５】
請求項４に記載の光ディスク装置において、
前記レンズ固定位置は、前記検出されたトラバースの移動速度に対応するものである、
ことを特徴とした光ディスク装置。
【請求項６】
請求項４に記載の光ディスク装置において、
シーク開始からトラック着地を経てアドレス情報を取得するまでの時間を計測するタイマ手段を備え、
前記タイマ手段の出力により該タイマ手段により取得される時間が短くなるように、前記固定位置格納手段に格納されるレンズ固定位置を微調整する、
ことを特徴とした光ディスク装置。
【発明の詳細な説明】
【０００１】
【発明の属する技術分野】
本発明は、ＤＶＤ−Ｒドライブに代表されるランドプリピットにアドレス情報が書き込まれた記録型光ディスクを記録／再生する光ディスク装置に関し、特に、シーク時のレンズオフセットによるＬＰＰアドレス取得失敗及びシーク時間の遅延を防ぐことのできる光ディスク装置に関する。
【０００２】
【従来の技術】
通常の高密度光記録媒体である光ディスクを図６に示す。図６において、光ディスクは、ウォブルしたグルーブ６０１を有するとともに、これらグルーブ間の領域に所定間隔でピット６０２が形成されていることを特徴とする。また、このような光ディスクを記録再生する従来の記録再生装置は、通常、グルーブ６０１からウォブル信号を検出する手段と、ピット６０２からピット信号を検出する手段とを備え、グルーブ６０１から検出したウォブル信号に基づいて光ディスクの回転を制御するとともに、ピット６０２から検出したピット信号に基づいて記録信号の光ディスク上での位置を検出することを特徴とする（例えば、特許文献１参照。）。
【０００３】
また、図７は、従来の光ディスク再生装置のレンズ制御構成の一例を示している。図７において、シーク開始と同時に切換え回路７０３が中点制御回路７０２に切換えられるので、光ヘッド７０６は、中点ずれセンサ７１０からの中点ずれ信号７１０ａを入力した中点制御回路７０２によって、常にその可動範囲の中点に保たれるように制御される。従って、シークが開始されてヘッド送り機構７０７が外部スケールセンサ７０９からのリニアスケール信号７０９ａをフィードバック信号とした速度制御動作をしている間、光ヘッド７０６は、中点ずれセンサ７１０からの中点ずれ信号７１０ａに基づいて中点制御の動作を行つている。これにより、シーク中のヘッド送り機構７０７の急加減速による光ヘッド７０６の可動中点からのずれを減少させることができる（例えば、特許文献２参照。）。
【０００４】
【特許文献１】
特開平９−３２６１３８号公報（第１頁、第１図）
【特許文献２】
特開平２−９８８２４号公報（第１頁、第１図）
【０００５】
【発明が解決しようとする課題】
しかし、前記シーク処理の直後は、レンズがレンズハウジング内で中心位置からシフトしている場合がある。このような場合に生成されたＰＰ信号と、レンズのシフト状態を図２に示す。まず、図２（ａ）は、レンズがレンズハウジング内の中心に位置している場合を示しており、照射されたビームスポット２０３は反射光の受け手であるフォトディテクタ２０４の中心に位置している。フォトディテクタ２０４はＡ、Ｂ、Ｃ、Ｄの４つに分割されており、ＰＰ信号は、
（Ａ＋Ｄ）−（Ｂ＋Ｃ）
という演算によって生成される。
【０００６】
反射光はフォトディテクタ２０４のＡ、Ｂ、Ｃ、Ｄに均等に受光され、理想的には、上記の演算を行うことで情報トラック２０１に記録されたマークによる反射光量の変化であるＲＦ成分はキャンセルされて、ＰＰ信号は情報トラックのウォブリング成分と隣接したランドトラックのＬＰＰとだけになるが、実際にはＲＦ成分のすべてをキャンセルすることが出来ず、図２（ａ２）のようにある程度の幅を持った信号に外周側ＬＰＰ信号２０５が重畳された信号が生成される。
【０００７】
図２（ｂ）は、レンズがレンズハウジング内でディスクの外周方向にシフトしている場合を示している。図２（ｂ１）において、照射されたビームスポット２０３は反射光の受け手であるフォトディテクタ２０４のＡ、Ｄ側に偏って位置している。
【０００８】
反射光はフォトディテクタ２０４のＡ、Ｄに偏って受光される。特に情報トラック２０１に記録されたマークによる反射光量の変化であるＲＦ成分のほとんどをＡ、Ｄで受光するため、上記の演算を行ってもＲＦ成分はほとんどキャンセルされず、図２（ｂ２）のように外周側ＬＰＰ信号２０５がＲＦ成分からのノイズに埋もれた信号が生成される。即ち、図２（ｂ１）のようにレンズがハウジング内でディスク外周方向にシフトしている場合、外周方向に隣接したランドトラックのＬＰＰ信号が、ウォブリング信号に混入した情報トラックに記録されたほかの信号からのノイズの影響を受けて検出できない状態になることがある。そのため、レンズシフトが解消され、外周側ＬＰＰ信号が検出できるようになるまでの間、アドレス情報が取得できずに次のシーク処理に遅延が発生してしまうという問題がある。
【０００９】
本発明は、上記のような従来の問題を解決するために考案されたもので、トラック着地時にレンズをレンズハウジング内でディスク内周寄りにすることにより、アドレス情報の取得を容易にし、次のシーク処理までの遅延を解消することのできる光ディスク装置を提供することを目的とする。
【００１０】
【課題を解決するための手段】
上記の課題を解決するために、本発明の請求項１に記載の光ディスク装置は、光ディスクの回転速度を制御するための回転速度制御情報に対応した周波数でウォブリングされ、記録すべき情報を記録する情報トラックと、前記情報トラックの外周方向に隣接し、前記情報トラックのアドレス情報がプリピットの形で形成されているランドトラックとが螺旋状に形成されている、前記光ディスクを再生可能な光ディスク装置において、レンズハウジング内に格納されているレンズから出射した光ビームの、前記光ディスク上の情報トラック及び前記情報トラックに隣接したランドトラックからの反射光に基づいて、ＰＰ信号を生成するＰＰ信号生成手段と、前記生成されたＰＰ信号から、前記回転速度制御情報を表すウォブリング信号のみを検出するウォブリング信号検出手段と、前記生成されたＰＰ信号から、前記ウォブリング信号に重畳されたＬＰＰ信号を検出するＬＰＰ信号検出手段と、前記検出されたＬＰＰ信号をもとに、前記情報トラックのアドレス情報を取得するＬＰＰアドレス検出手段と、前記レンズを前記レンズハウジング内の中心に固定する中点サーボ手段と、前記レンズをトラッキング方向に駆動させるためのトラッキング駆動信号を生成するトラッキング駆動信号生成手段と、前記生成されたトラッキング駆動信号にオフセットを加えるトラッキング駆動信号オフセット印加手段と、を備え、前記中点サーボ手段は、トラバースの移動を伴うシーク処理における、トラバースの移動中は、前記レンズを前記レンズハウジング内の中心に固定し、前記トラッキング駆動信号オフセット印加手段は、上記シーク処理におけるトラック着地時には、前記レンズを前記レンズハウジング内で光ディスク内周方向へシフトするように前記トラッキング駆動信号に所定の量のオフセットを加えることを特徴とするものである。
この構成によれば、レンズがトラックの中心よりディスク内周寄りに着地することが可能となり、レンズが外周にオフセットするのを防ぐことができる。
【００１１】
また、本発明の請求項２に記載の光ディスク装置は、請求項１に記載の光ディスク装置において、前記所定の量のオフセットは、前記光ディスクのトラックピッチの半分以下の値とすることを特徴とするものである。
この構成によれば、レンズが内周へ過度のオフセットによる目標トラックとは違うトラックに着地するのを防ぐことができる。
【００１２】
本発明の請求項３に記載の光ディスク装置は、請求項１に記載の光ディスク装置において、前記トラッキング駆動信号オフセット印加手段は、アドレスの取得が完了した後は、印加されたオフセットをゼロに戻すことを特徴とするものである。
この構成によれば、アドレス取得後に、早速内周へのオフセットを解消することで、すぐにトラックに記録された情報を正常に取得することに移行することができる。
【００１３】
本発明の請求項４に記載の光ディスク装置は、光ディスクの回転速度を制御するための回転速度制御情報に対応した周波数でウォブリングされ、記録すべき情報を記録する情報トラックと、前記情報トラックの外周方向に隣接し、前記情報トラックのアドレス情報がプリピットの形で形成されているランドトラックとが螺旋状に形成されている、前記光ディスクを再生可能な光ディスク装置において、レンズハウジング内に格納されているレンズから出射した光ビームの、前記光ディスク上の情報トラック及び前記情報トラックに隣接したランドトラックからの反射光に基づいて、ＰＰ信号を生成するＰＰ信号生成手段と、前記生成されたＰＰ信号から、前記回転速度制御情報を表すウォブリング信号のみを検出するウォブリング信号検出手段と、前記生成されたＰＰ信号から、前記ウォブリング信号に重畳されたＬＰＰ信号を検出するＬＰＰ信号検出手段と、前記検出されたＬＰＰ信号をもとに、前記情報トラックのアドレス情報を取得するＬＰＰアドレス検出手段と、トラバースの移動速度を検出するトラバース移動速度検出手段と、前記レンズを前記レンズハウジング内の所定のレンズ固定位置に固定するレンズ位置固定手段と、前記レンズ固定位置を格納する固定位置格納手段と、を備え、前記レンズ位置固定手段は、トラバースの移動を伴うシーク処理における、トラバースの移動中は、前記レンズを前記レンズハウジング内の光ディスク内周寄りの所定のレンズ固定位置に固定し、上記シーク処理におけるトラック着地直前は、前記レンズの位置固定を解除して、該レンズを慣性力でトラック着地せしめることを特徴とするものである。
この構成によれば、レンズがトラックの中心よりディスク外周寄りに着地するのを防ぐことができる。
【００１４】
本発明の請求項５に記載の光ディスク装置は、請求項４に記載の光ディスク装置において、前記レンズ固定位置は、前記検出されたトラバースの移動速度に対応することを特徴とするものである。
この構成によれば、トラバースの移動速度に応じて変化する慣性力の大きさによってトラバース移動中のレンズの固定位置を変えることができる。
【００１５】
本発明の請求項６に記載の光ディスク装置は、請求項４に記載の光ディスク装置において、シーク開始からトラック着地を経てアドレス情報を取得するまでの時間を計測するタイマ手段を備え、前記タイマ手段の出力により該タイマ手段により取得される時間が短くなるように、前記固定位置格納手段に格納されるレンズ固定位置を微調整することを特徴とするものである。
この構成によれば、微調整によってトラバース移動中のレンズの固定位置を最適にすることが可能となり、トラック着地時のレンズオフセットを適切な量とすることができる。
【００１６】
【発明の実施の形態】
以下、本発明の実施の形態について、図面を参照しながら具体的に説明する。
（実施の形態１）
本発明の実施の形態１による光ディスク装置は、本発明の請求項１、請求項２、及び請求項３に記載された発明に対応するものであって、以下、図１、図２、図３を用いて説明する。
【００１７】
図１は、本実施の形態１による光ディスク装置の構成を示すブロック図である。
図１において、光ディスク装置は、光ディスク１０１を回転させるスピンドルモータ１０２と、レンズ１０４を担持するレンズハウジング１０３と、前記レンズハウジング１０３を含む光ヘッドをトラッキング方向に駆動させるためのトラッキング駆動信号を生成するトラッキング駆動信号生成手段１０５と、前記生成されたトラッキング駆動信号にオフセットを加えるトラッキング駆動信号オフセット印加手段１０６と、前記レンズ１０４をレンズハウジング１０３内の中心に固定する中点サーボ手段１０７と、前記レンズ１０４から出射した光ビームの前記情報トラック及び前記ランドトラックからの反射光に基づいて、ＰＰ信号を生成するＰＰ信号生成手段１０８と、生成されたＰＰ信号から、回転速度制御情報を表すウォブリング信号のみを検出するウォブリング信号検出手段１１１と、ウォブリング信号に重畳されたＬＰＰ信号を検出するＬＰＰ信号検出手段１０９と、前記検出されたＬＰＰ信号をもとに、前記情報トラックのアドレス情報を取得するＬＰＰアドレス検出手段１１０と、を備えている。
【００１８】
次に、上記のように構成されている本実施の形態１による光ディスク装置の動作について、説明する。
レンズ１０４から照射した光ビームは光ディスク面によって反射され、その戻り光はＰＰ信号生成手段１０８とトラッキング駆動信号生成手段１０５とに送られる。ＰＰ信号生成手段１０８はＰＰ信号を生成し、ウォブリング信号検出手段１１１は、生成されたＰＰ信号からウォブリング信号を抽出する。そして、ＬＰＰ信号検出手段１０９は、前記ＰＰ信号とウォブリング信号とをもとに、レーザー光の照射されている情報トラックの外周側に隣接したランドトラックに形成されたプリピットから得られるＬＰＰ信号を検出し、ＬＰＰアドレス検出手段１１０へ送る。ＬＰＰアドレス検出手段１１０は、ＬＰＰ信号検出手段１０９から得られたＬＰＰ信号から、アドレス情報を検出する。
【００１９】
また、トラッキング駆動信号生成手段１０５は前記光ディスクからの戻り光をもとにトラッキング駆動信号を生成する。生成されたトラッキング駆動信号は、トラッキング駆動信号オフセット印加手段１０６によって所定の量のオフセットを加えられ、中点サーボ手段１０７を通ってレンズ１０４をトラッキング方向に駆動させる。
【００２０】
再生中は、トラッキング駆動信号オフセット印加手段１０６によって印加されるオフセット量をゼロとし、中点サーボ手段１０７を用いずに、トラッキング駆動信号生成手段１０５によって生成されたトラッキング駆動信号そのものを使ってトラッキングサーボを行う。
【００２１】
シーク中においては、トラバースの移動中は、中点サーボ手段１０７を用いてレンズハウジング１０３の中心にレンズ１０４を位置させる。トラック着地時に中点サーボ手段１０７の動作を停止させると同時に、トラッキング駆動信号オフセット印加手段１０６は、トラッキング駆動信号にディスク１０１の内周向きの所定の量のオフセットを加える。そうすることによって、図３（ｂ）に示すようにトラック着地時にレンズ１０４のレンズハウジング１０３内での位置をディスク内周側にシフトすることができる。
【００２２】
続いて、ＬＰＰ信号検出手段１０９から得られたＬＰＰ信号を用いて、レーザー光の照射されている情報トラックのアドレスを取得する。図２（ｃ）に示すようにシーク処理におけるトラック着地時にレンズハウジング１０３内でレンズ１０４がディスクの内周方向に偏っている場合、照射されたビームスポット２０３は反射光の受け手であるフォトディテクタ２０４のＢ、Ｃ側に偏って位置しており、反射光はフォトディテクタ２０４のＢ、Ｃに偏って受光される。特に情報トラック２０１に記録されたマークによる反射光量の変化であるＲＦ成分のほとんどをＢ、Ｃで受光し、ＬＰＰによる反射光量の変化であるＬＰＰ成分のほとんどをＡ、Ｄで受光するため、ＰＰ信号生成のための演算
（Ａ＋Ｄ）−（Ｂ＋Ｃ）
を行うと、図２（ｃ２）に示すようにＲＦ成分からのノイズはＰＰ信号波形の下側に現れ、ＬＰＰ信号２０５に影響を与えないので、容易にアドレスを取得することが可能となる。
【００２３】
また、ここで、トラッキング駆動信号オフセット印加手段１０６の加える所定の量のオフセットを、レンズ１０４がレンズハウジング１０３内の中心位置からディスク１０１のトラックピッチの半分の距離以上にずれないような量に抑えることにより、レンズ１０４が着地目標トラックと異なるトラックに着地するのを防ぎ、アドレスの取得が完了した後は、速やかに印加しているオフセットをゼロにすることでトラックに記録されている情報の再生を妨げないようにする。
【００２４】
このように、本実施の形態１による光ディスク装置では、トラバースの移動を伴うシーク処理において、トラバースの移動中は、中点サーボ手段１０７によってレンズをレンズハウジング内の中心に固定し、トラック着地時には、トラッキング駆動信号オフセット印加手段によってトラッキング駆動信号にディスク内周向きのオフセットを加えることにより、トラック着地したときに、レンズ１０４がレンズハウジング内で中心地点よりディスク内側に位置するようにしたので、レンズ１０４がトラック着地したときにディスク外周側に位置するのを未然に防ぎ、ＬＰＰ信号の検出を容易にし、アドレス取得までの時間を短縮することができるため、シーク時間の遅延を最小に抑えることが出来る。
【００２５】
（実施の形態２）
以下、本発明の請求項４、請求項５、及び請求項６に記載された発明に対応する光ディスク装置を実施の形態２として、図４、図５を用いて説明する。
図４は、本実施の形態２による光ディスク装置の構成を示すブロック図である。なお、前述実施の形態１による光ディスク装置と同様な構成については、同様な符号を付しており、その説明を省略する。
【００２６】
図４において、４０１はトラバースシーク時に、トラバース移動速度を検出するトラバース移動速度検出手段、４０２は予めトラバース移動速度に応じたレンズ固定位置を格納した固定位置格納手段、４０４はレンズ固定位置にレンズを固定するレンズ位置固定手段、４０３はトラック着地直前に前記レンズ位置固定手段４０４がレンズの位置固定を解除し、シーク開始からトラック着地後アドレス取得を完了するまでの時間をカウントするタイマ手段である。
【００２７】
次に、上記のように構成されている本実施の形態２による光ディスク装置の動作について、説明する。
レンズ１０４から照射した光ビームは光ディスク面によって反射され、その戻り光は、ＰＰ信号生成手段１０８とトラバース移動速度検出手段４０１とに送られる。ＰＰ信号生成手段１０８はＰＰ信号を生成し、ウォブリング信号検出手段１１１は、生成されたＰＰ信号からウォブリング信号を抽出する。そして、ＬＰＰ信号検出手段１０９は、前記ＰＰ信号とウォブリング信号とをもとに、レーザー光の照射されている情報トラックの外周側に隣接したランドトラックに形成されたプリピットから得られるＬＰＰ信号を検出し、ＬＰＰアドレス検出手段１１０へ送る。ＬＰＰアドレス検出手段１１０は、ＬＰＰ信号検出手段１０９から得られたＬＰＰ信号から、アドレス情報を検出する。
【００２８】
また、トラバース移動速度検出手段４０１は、前記シーク中の戻り光をもとにトラバースの移動速度を検出する。予めトラバースの移動速度に応じたレンズ固定位置を格納した固定位置格納手段４０２は、トラバース移動速度検出手段４０１によって検出されたトラバースの移動速度に応じたレンズ固定位置をレンズ位置固定手段４０４に送り、レンズ位置固定手段４０４はそれに従って、レンズを該固定位置に固定する。レンズ固定位置は、位置固定を解除されたレンズが、トラバースの移動速度に応じた慣性力により着地するとき、その着地点がレンズハウジング１０３の中心を越えないように設定される。
【００２９】
図５（ｂ）に示すように、トラバースの移動中には、レンズ１０４をレンズハウジング１０３の内周側に固定し、トラック着地直前には、レンズ位置固定手段４０４はレンズの位置固定を解除し、レンズが慣性力でトラック着地する。なお、タイマ手段４０３はシーク開始からトラック着地後アドレス取得を完了するまでの時間を計測し、計測された時間が短くなるようにレンズ位置固定手段４０４に格納されているレンズ固定位置を微調整する。
【００３０】
このように、本実施の形態２による光ディスク装置では、トラバース移動中では、レンズ位置固定手段によってレンズをレンズハウジング内の、トラバースの移動速度に応じた所定の位置に固定し、トラック着地直前にレンズの位置固定を解除して、前記レンズが慣性力でトラック着地するようにしたので、レンズがレンズハウジング内の外周側に偏って位置するのを防ぐことにより、ＬＰＰ信号の検出を容易にし、トラバースシーク処理におけるアドレス取得までの時間を短縮することができる。また、シーク開始からトラック着地後のアドレスを取得するまでの時間を計測してレンズの固定位置を微調整するようにしたので、一層シーク時間の遅延を抑えることができる。
【００３１】
【発明の効果】
以上のように、本発明の光ディスク装置によれば、トラック着地時にレンズハウジング内の中心より内周にレンズを位置させるようにすることにより、ＬＰＰ信号の検出を容易にし、アドレス情報の取得までの時間を短縮して次のシーク処理までの遅延を解消することができる。
【００３２】
即ち、本発明の請求項１に係る光ディスク装置によれば、トラバースの移動を伴うシーク処理において、トラバースの移動中は、中点サーボ手段によってレンズをレンズハウジング内の中心に固定し、トラック着地時には、トラッキング駆動信号オフセット印加手段によって前記レンズを前記レンズハウジング内で光ディスク内周方向へシフトするようにトラッキング駆動信号に所定の量のオフセットを加えるようにしたので、レンズがトラックの中心より内周寄りに着地するようにしたことにより、レンズが外周にオフセットするのを未然に防ぎ、アドレスの取得を容易にして次のシーク処理までの遅延を解消することができる。
【００３３】
また、本発明の請求項２に係る光ディスク装置によれば、請求項１に記載の光ディスク装置において、前記所定の量のオフセットは、前記光ディスクのトラックピッチの半分以下の値とするようにしたので、レンズが内周へ過度のオフセットにより目標トラックとは違うトラックに着地するのを防ぐことが可能となり、シーク処理の時間の短縮を図ることができる。
【００３４】
本発明の請求項３に係る光ディスク装置によれば、請求項１に記載の光ディスク装置において、前記トラッキング駆動信号オフセット印加手段は、アドレスの取得が完了した後は、印加されたオフセットをゼロに戻すようにしたので、アドレス情報を取得してシーク処理が終了した後はレンズのディスク内周へのオフセットを解消するようにしたことにより、トラックに記録された情報の取得に影響を与えることなく、シーク処理を完了するまでの遅延を解消することができる。
【００３５】
本発明の請求項４に係る光ディスク装置によれば、レンズをレンズハウジング内の所定のレンズ固定位置に固定するレンズ位置固定手段と、前記レンズ固定位置を格納する固定位置格納手段と、を備え、トラバースの移動を伴うシーク処理において、トラバースの移動中は、前記レンズ位置固定手段は、前記レンズを前記レンズハウジング内の光ディスク内周寄りの所定のレンズ固定位置に固定し、トラック着地直前は、該レンズ位置固定手段は、前記レンズの位置固定を解除して、該レンズを慣性力でトラック着地せしめるようにしたので、レンズがトラックの中心より外周寄りに着地するのを防ぐことで、アドレスの取得を容易にし、次のシーク処理までの遅延を解消することができる。
【００３６】
本発明の請求項５に係る光ディスク装置によれば、請求項４に記載の光ディスク装置において、前記レンズ固定位置は、検出されたトラバースの移動速度に対応するようにしたので、トラバースの移動速度に応じて変化する慣性力の大きさによってトラバース移動中のレンズの固定位置を変えることにより、トラック着地時のレンズオフセットの制御を行い、アドレスの取得が容易となり、次のシーク処理までの遅延を解消することができる。
【００３７】
本発明の請求項６に係る光ディスク装置によれば、請求項４に記載の光ディスク装置において、シーク開始からトラック着地を経てアドレス情報を取得するまでの時間を計測するタイマ手段を備え、前記タイマ手段の出力により該タイマ手段により取得される時間が短くなるように、前記固定位置格納手段に格納されるレンズ固定位置を微調整するようにしたので、微調整によってトラバース移動中のレンズの固定位置を最適にすることにより、トラック着地時のレンズオフセットを適切な量とすることが可能となり、アドレスの取得が容易になって、次のシーク処理までの遅延を解消することができる。
【図面の簡単な説明】
【図１】本発明の実施の形態１による光ディスク装置の構成を示すブロック図である。
【図２】レンズのシフト量と生成されるＰＰ信号の相関を示す図であって、（ａ）はレンズがハウジングの中心に位置する場合、（ｂ）はレンズがハウジングの中心からディスクの外周側に位置する場合、（ｃ）はレンズがハウジングの中心からディスクの内周側に位置する場合をそれぞれ示している。
【図３】トラバースシーク処理における、レンズのハウジング内の位置を示す概念図で、（ａ）は従来の光ディスク装置の場合、（ｂ）は本発明の実施の形態１による光ディスク装置の場合をそれぞれ示している。
【図４】本発明の実施の形態２による光ディスク装置の構成を示すブロック図である。
【図５】トラバースシーク処理における、レンズのハウジング内の位置を示す概念図で、（ａ）は従来の光ディスク装置の場合、（ｂ）は本発明の実施の形態２による光ディスク装置の場合をそれぞれ示している。
【図６】通常の高密度光記録媒体を示す概念図である。
【図７】従来の光記録媒体再生装置のレンズ制御構成の一例を示すブロック図である。
【符号の説明】
１０１  光ディスク、光記録媒体
１０２  スピンドルモータ
１０３  レンズハウジング
１０４  レンズ
１０５  トラッキング駆動信号生成手段
１０６  トラッキング駆動信号オフセット印加手段
１０７  中点サーボ手段
１０８  ＰＰ信号生成手段
１０９  ＬＰＰ信号検出手段
１１０  ＬＰＰアドレス検出手段
１１１  ウォブリング信号検出手段
２０１  情報トラック
２０２  ランドプリピット（ＬＰＰ）
２０３  ビームスポット
２０４  フォトディテクタ
２０５  ＬＰＰ信号
４０１  トラバース移動速度検出手段
４０２  固定位置格納手段
４０３  タイマ手段
４０４  レンズ位置固定手段
６０１  グルーブ
６０２  ピット
６０３  ビームスポット
７０１  トラッキング制御回路
７０２  中点制御回路
７０３  切り替え回路
７０４  速度制御回路
７０５  光ディスク
７０６  光ヘッド
７０７  ヘッド送り機構
７０８  外部スケール
７０９  外部スケールセンサ
７１０  中点ずれセンサ
【図１】
2004342257.tif 000003
【図２】
2004342257.tif 000004
【図３】
2004342257.tif 000005
【図４】
2004342257.tif 000006
【図５】
2004342257.tif 000007
【図６】
2004342257.tif 000008
【図７】
2004342257.tif 000009